(57)【要約】【課題】圧接端子及びシール材を一度に確実に圧接コネクタに固定する。【解決手段】圧接コネクタ１は、コネクタハウジング１０と圧接端子２０とシール材２９と端子保持部材３０とを備えて構成されている。コネクタハウジング１０のコネクタ嵌合部１４には、シール材２９が装着されている。コネクタ嵌合部１４には、内側に端子収容孔１１が形成され側壁にコネクタ嵌合部１４の外側に連通する係合穴部１５が形成されている。圧接端子２０を保持し圧接端子２０と共に端子収容孔１１に装着される端子保持部材３０には、係合穴部１５に係合する突起部３１を有する係合片部３２が形成されている。この端子保持部材３０は、圧接端子２０をコネクタハウジング１０に取付固定する。また、端子保持部材３０の係合片部３２は、端子保持部材３０が端子収容孔１１に収容された状態でシール材２９を突起部３１の先端に引っ掛けることによりコネクタ嵌合部１４に係止固定する。従って、圧接端子２０及びシール材２９を一度に確実に圧接コネクタ１に固定することができる。【選択図】  図１
2004356013.tif 000002
【特許請求の範囲】
【請求項１】
相手方コネクタが嵌合される凸型のコネクタ嵌合部を有しこのコネクタ嵌合部の内側に端子収容孔が形成されたコネクタハウジングと、
このコネクタハウジングの前記端子収容孔に装着されて前記相手方コネクタと電気的に接続されると共にケーブルの電線と圧接される金属製の圧接端子と、
前記コネクタ嵌合部の外周面に装着されて前記相手方コネクタが前記コネクタハウジングに完全嵌合された状態で前記相手方コネクタと前記コネクタハウジングとの間を液密状態に保つ弾性体からなるシール材と、
前記圧接端子が装着されて前記圧接端子と共に前記端子収容孔に収容される端子保持部材と
を有する圧接コネクタの前記圧接端子及びシール材の固定構造であって、
前記コネクタ嵌合部は、その側壁に前記端子収容孔とコネクタ嵌合部の外側とを連通する係合穴部が形成され、
前記端子保持部材は、前記端子収容孔に収容された状態で前記コネクタ嵌合部の係合穴部と係合する突起部を先端に有する係合片部を有し、
前記シール材は、前記端子保持部材が前記端子収容孔に収容された状態で前記係合穴部に係合した前記係合片部の突起部の先端によって前記コネクタ嵌合部に係止固定されている
ことを特徴とする圧接端子及びシール材の固定構造。
【請求項２】
前記端子保持部材は、装着された前記圧接端子と共に前記端子収容孔の挿入側開口部を隙間無く塞ぐ状態で前記端子収容孔に収容されていることを特徴とする請求項１記載の圧接端子及びシール材の固定構造。
【請求項３】
前記圧接コネクタは、
前記コネクタハウジングに嵌合され嵌合前の状態では前記ケーブルを嵌合方向と交差する方向に沿って直線状に保持すると共に、前記圧接端子に前記電線を挿入して圧接するためのリテーナと、
前記コネクタハウジングと前記リテーナとの嵌合部分に形成され両者を前記電線と前記圧接端子との圧接部分と共に封止固定する樹脂モールド部とを更に備え、
前記コネクタハウジングは、前記端子収容孔と連通すると共に環状のリテーナ嵌合壁を有する前記リテーナが嵌合するリテーナ嵌合部を備え、
前記リテーナは、前記リテーナ嵌合部への嵌合時に前記ケーブルをその嵌合方向に対して直交する面と平行に保持するケーブル保持部を備え、
前記ケーブル保持部は、前記嵌合時に前記リテーナ嵌合部内で前記圧接端子に前記電線を挿入して圧接するための端子側開口部を備えると共に、前記リテーナ嵌合部内に前記樹脂モールド部を形成するモールド樹脂を充填するための注入開口部を備えてなる
ことを特徴とする請求項１又は２記載の圧接端子及びシール材の固定構造。
【請求項４】
それぞれ対向する一対の前記リテーナ嵌合壁の内壁面と前記リテーナ保持部の側面とには、前記嵌合時に前記ケーブルを屈曲した状態で保持するための凹部がそれぞれ形成されている
ことを特徴とする請求項３記載の圧接端子及びシール材の固定構造。
【請求項５】
前記凹部が形成された前記内壁面及び前記側面以外のそれぞれ対向する他の一対の前記内壁面及び前記側面には、前記リテーナと前記リテーナ嵌合部との嵌合状態を保持するためのリテーナ係止部が形成され、
前記リテーナ係止部は、前記内壁面及び前記側面のいずれか一方に形成されたリテーナ係止突起と、いずれか他方に形成された前記リテーナ係止突起と係合するリテーナ係合凹部とから構成されている
ことを特徴とする請求項４記載の圧接端子及びシール材の固定構造。
【請求項６】
前記リテーナのケーブル保持部は、前記ケーブルを介して対向配置され前記ケーブルを挟み込んで挟持固定する複数の挟持部材と、
これら複数の挟持部材の一方の端部同士を結合するヒンジ部と、
前記複数の挟持部材の他方の端部同士を係合して固定する係合部とを一体的に形成して構成され、
前記係合部は、
前記複数の挟持部材のうちの一方の挟持部材の前記他方の端部に形成された係合凹部と、
前記複数の挟持部材のうちの他方の挟持部材の前記他方の端部に形成された、前記係合凹部と係合する係合突起部を有する係合片部とから構成されている
ことを特徴とする請求項３〜５のいずれか１項記載の圧接端子及びシール材の固定構造。
【請求項７】
前記複数の挟持部材は、
それぞれの対向面に前記ケーブルの電線の被覆外周径に合わせて形成された前記電線の芯線方向に延びる固定溝部を備える
ことを特徴とする請求項６記載の圧接端子及びシール材の固定構造。
【請求項８】
前記圧接端子は、
前記相手方コネクタの接続端子と嵌合する嵌合接続部と、この嵌合接続部の基端側に形成され前記電線が挿入されるスリットを有する圧接部と、これら嵌合接続部及び圧接部の間を連結する端子本体部とを備えて構成され、
前記端子本体部は、前記嵌合接続部及び前記圧接部の間を両者が同一直線上に並ばないように連結するものである
ことを特徴とする請求項１〜７のいずれか１項記載の圧接端子及びシール材の固定構造。
【発明の詳細な説明】
【０００１】
【発明の属する技術分野】
この発明は、圧接コネクタに用いられる圧接端子及び防水のために用いられるシール材の圧接コネクタへの固定構造に関し、特に圧接端子及びシール材を一度に確実に圧接コネクタに固定することができる圧接端子及びシール材の固定構造に関する。
【０００２】
【従来の技術】
通常、電気的接続を行うためのコネクタは、いわゆるプラグコネクタとレセプタクルコネクタとからなり、それぞれのコネクタ内には金属製の接続端子が収容されている。これらのコネクタの中には、その使用状況により特に接続端子の接続部分への防水性が必要とされるものがある。一般的にこの種のコネクタを防水コネクタというが、その防水方式としては、主に以下のような構造が知られている。即ち、例えばレセプタクルコネクタのコネクタ嵌合部に、エラストマなどからなるシール材を配設し、このシール材をリテーナなどでレセプタクルコネクタに固定してプラグコネクタとの完全嵌合時に両者の間をレセプタクルコネクタに配設したシール材で密閉し、接続端子の接続部分を防水するというものである。この防水方式を実現するためには、シール材をレセプタクルコネクタに固定するためのリテーナ等の別部品が必要となるため、部品点数が増えて固定作業が煩雑化し、如いてはコストアップに繋がる場合がある。
【０００３】
そのため、上記防水方式を部品点数を増やさずに実現するものとして、レセプタクルコネクタのコネクタ嵌合部に、リブなどを形成してそのリブにシール材を引っ掛けて固定する構造が多用されている（例えば、特許文献１参照。）。ここで、このようなコネクタが、電線と圧接により接続される圧接端子を収容したいわゆる圧接コネクタである場合、シール材を固定する構造や部品の他に圧接端子をコネクタに固定するための構造や部品も必要となるため、やはりコストアップに繋がってしまうことが考えられる。
【０００４】
【特許文献１】
特開平９−２１３４０８号公報（第２−３頁、第１−３図）
【０００５】
【発明が解決しようとする課題】
従って、圧接コネクタにおいて圧接端子とシール材とを簡単且つ確実に固定するためには、通常のコネクタでの組立作業工数に比べて作業工数が増えてしまったり部品点数が増えてしまったりしてコストダウンを図り難いという問題がある。
【０００６】
この発明は、このような問題点に鑑みてなされたもので、圧接端子及びシール材を一度に確実に圧接コネクタに固定することができる圧接端子及びシール材の固定構造を提供することを目的とする。
【０００７】
【課題を解決するための手段】
この発明に係る圧接端子及びシール材の固定構造は、相手方コネクタが嵌合される凸型のコネクタ嵌合部を有しこのコネクタ嵌合部の内側に端子収容孔が形成されたコネクタハウジングと、このコネクタハウジングの前記端子収容孔に装着されて前記相手方コネクタと電気的に接続されると共にケーブルの電線と圧接される金属製の圧接端子と、前記コネクタ嵌合部の外周面に装着されて前記相手方コネクタが前記コネクタハウジングに完全嵌合された状態で前記相手方コネクタと前記コネクタハウジングとの間を液密状態に保つ弾性体からなるシール材と、前記圧接端子が装着されて前記圧接端子と共に前記端子収容孔に収容される端子保持部材とを有する圧接コネクタの前記圧接端子及びシール材の固定構造であって、前記コネクタ嵌合部は、その側壁に前記端子収容孔とコネクタ嵌合部の外側とを連通する係合穴部が形成され、前記端子保持部材は、前記端子収容孔に収容された状態で前記コネクタ嵌合部の係合穴部と係合する突起部を先端に有する係合片部を有し、前記シール材は、前記端子保持部材が前記端子収容孔に収容された状態で前記係合穴部に係合した前記係合片部の突起部の先端によって前記コネクタ嵌合部に係止固定されていることを特徴とする。
【０００８】
この発明によれば、コネクタハウジングのコネクタ嵌合部に形成された端子収容孔に収容される端子保持部材で圧接端子を保持しコネクタハウジングに圧接端子を取付固定する。また、コネクタ嵌合部の外周面に装着されたシール材を、端子保持部材が端子収容孔に収容された状態で、コネクタ嵌合部に形成された係合穴部に係合した端子保持部材の係合片部の突起部の先端でコネクタ嵌合部に係止固定する。従って、一部材の端子保持部材をコネクタハウジングに装着するだけで圧接端子とシール材の両者を同時且つ一度に確実に圧接コネクタに固定することが可能となり、作業工数の削減に基づくコストダウンを図ることが可能となる。
【０００９】
なお、端子保持部材は、例えば装着された圧接端子と共に前記端子収容孔の挿入側開口部を隙間無く塞ぐ状態で端子収容孔に収容されている。
【００１０】
この固定構造が適用される圧接コネクタとしては、コネクタハウジングに嵌合され嵌合前の状態ではケーブルを嵌合方向と交差する方向に沿って直線状に保持すると共に、圧接端子に電線を挿入して圧接するためのリテーナと、コネクタハウジングとリテーナとの嵌合部分に形成され両者を電線と圧接端子との圧接部分と共に封止固定する樹脂モールド部とを更に備えたものでも良く、この場合、コネクタハウジングは、端子収容孔と連通すると共に環状のリテーナ嵌合壁を有するリテーナが嵌合するリテーナ嵌合部を備え、リテーナは、リテーナ嵌合部への嵌合時にケーブルをその嵌合方向に対して直交する面と平行に保持するケーブル保持部を備え、ケーブル保持部は、嵌合時にリテーナ嵌合部内で圧接端子に電線を挿入して圧接するための端子側開口部を備えると共に、リテーナ嵌合部内に樹脂モールド部を形成するモールド樹脂を充填するための注入開口部を備えてなる。
【００１１】
なお、それぞれ対向する一対のリテーナ嵌合壁の内壁面とリテーナ保持部の側面とには、嵌合時にケーブルを屈曲した状態で保持するための凹部がそれぞれ形成されている。
【００１２】
また、リテーナ嵌合壁とリテーナ保持部の凹部が形成された内壁面及び側面以外のそれぞれ対向する他の一対の内壁面及び側面には、リテーナとリテーナ嵌合部との嵌合状態を保持するためのリテーナ係止部が形成され、リテーナ係止部は、内壁面及び側面のいずれか一方に形成されたリテーナ係止突起と、いずれか他方に形成されたリテーナ係止突起と係合するリテーナ係合凹部とから構成されている。
【００１３】
また、リテーナのケーブル保持部は、例えばケーブルを介して対向配置されケーブルを挟み込んで挟持固定する複数の挟持部材と、これら複数の挟持部材の一方の端部同士を結合するヒンジ部と、複数の挟持部材の他方の端部同士を係合して固定する係合部とを一体的に形成して構成されており、係合部は、複数の挟持部材のうちの一方の挟持部材の他方の端部に形成された係合凹部と、複数の挟持部材のうちの他方の挟持部材の他方の端部に形成された、係合凹部と係合する係合突起部を有する係合片部とから構成されている。
【００１４】
ここで、複数の挟持部材は、例えばそれぞれの対向面にケーブルの電線の被覆外周径に合わせて形成された電線の芯線方向に延びる固定溝部を備える。
【００１５】
また、圧接端子は、例えば相手方コネクタの接続端子と嵌合する嵌合接続部と、この嵌合接続部の基端側に形成され電線が挿入されるスリット部を有する圧接部と、これら嵌合接続部及び圧接部の間を連結する端子本体部とを備えて構成されているものであり、例えば端子本体部が嵌合接続部及び圧接部の間を両者が同一直線上に並ばないように連結するものである。
【００１６】
【発明の実施の形態】
以下、添付の図面を参照して、この発明の好ましい実施の形態を説明する。
図１及び図２は、この発明の一実施形態に係る圧接端子及びシール材の固定構造を説明するための圧接コネクタの分解斜視図、図３は、図２のＡ−Ａ´断面図、図４は、図２のＢ−Ｂ´断面図である。
圧接コネクタ１は、図示しない相手方コネクタが嵌合される凸型のコネクタ嵌合部１４を有すると共にこのコネクタ嵌合部１４の内側に端子収容孔１１が形成されたコネクタハウジング１０と、このコネクタハウジング１０の端子収容孔１１に装着されて相手方コネクタと電気的に接続されると共に例えばケーブルとしてのフラットケーブル４０の電線４３と圧接される金属製の圧接端子２０と、コネクタ嵌合部１４の外周面に装着されて相手方コネクタがコネクタハウジング１０に完全嵌合された状態で両者の間を液密状態に保つ弾性体のシール材２９と、圧接端子２０が装着されて圧接端子２０と共に端子収容孔１１に収容される端子保持部材３０と備えて構成されている。また、この例の圧接コネクタ１は、コネクタハウジング１０に嵌合され嵌合前の状態ではフラットケーブル４０を嵌合方向と交差する方向に沿って直線状に保持すると共に、圧接端子２０にフラットケーブル４０の電線４３を挿入して圧接するためのリテーナ５０と、このリテーナ５０とコネクタハウジング１０との嵌合部分をフラットケーブル４０の電線４３と圧接端子３０との圧接部分と共に封止固定する樹脂モールド部７０とを更に備えて構成されている。
【００１７】
コネクタハウジング１０は、例えば樹脂成型部材からなり、コネクタ嵌合部１４の他に、更に端子収容孔１１と連通し環状のリテーナ嵌合壁１３を有するリテーナ５０が内部に嵌合されるリテーナ嵌合部１２を備えている。
【００１８】
リテーナ５０に保持されるフラットケーブル４０は、この例では絶縁被覆４１に芯線４２が覆われた複数の電線４３を平面状に並設し、各電線４３間を絶縁被覆４１と同じく絶縁樹脂からなるブリッジ部４４で連結した構造からなり、可撓性を備えるものである。そして、圧接端子２０の後述する圧接部との圧接を容易にするために、少なくともリテーナ５０に保持される部分には、ブリッジ部４４に該当する部分にスリット４５が形成されている。ここで、このフラットケーブル４０としては、単体からなる複数の電線４３を各々独立して平面状に並設したものでも良い。
【００１９】
また、コネクタハウジング１０の端子収容孔１１に収容される圧接端子２０は、例えば相手方コネクタの接続端子が嵌合する筒状の嵌合接続部２１と、この嵌合接続部２１の基端側に形成されフラットケーブル４０の電線４３が挿入されるスリット部２２を有する圧接部２３と、これら嵌合接続部２１及び圧接部２３の間を両者が同一直線上に並ばないように連結する端子本体部２４とを備えて構成されている。なお、嵌合接続部３１には、例えば相手方コネクタの接続端子との接続状態を良好にするための弾性接触片２５が形成されている。
【００２０】
リテーナ５０は、コネクタハウジング１０のリテーナ嵌合部１２への嵌合時にフラットケーブル４０をその嵌合方向に対して直交する面と平行に保持する板状のケーブル保持部５１を備えて構成され、この例のケーブル保持部５１は、例えばフラットケーブル４０を介して対向配置されフラットケーブル４０をその厚さ方向に挟み込んで挟持固定する矩形板状の第１及び第２挟持部材５２，５３と、これら第１及び第２挟持部材５２，５３の一方の端部同士を結合するヒンジ部５４と、第１及び第２挟持部材５２，５３の他方の端部同士を係合して固定する係合部５５とを一体的に形成して構成されている。なお、係合部５５は、第１挟持部材５２のヒンジ部５４側と反対側の端部に形成された係合凹部５６と、第２挟持部材５３のヒンジ部５４側と反対側の端部に形成された、係合凹部５６と係合する係合突起部５７を有する係合片部５８とから構成されている。ここで、第１及び第２挟持部材５２，５３は、ヒンジ部５４で一体的に連結された構造以外に両者を着脱可能に分割することができる構造からなるものでも良い。
【００２１】
このケーブル保持部５１の第１挟持部材５２には、例えば樹脂モールド部７０を形成するモールド樹脂をリテーナ嵌合部１２内に充填するための注入開口部５２ａが形成され、第２挟持部材５３には、例えば圧接端子２０の圧接部２３にフラットケーブル４０の電線４３を挿入して圧接するための図示しない端子側開口部が形成されている。そして、第１及び第２挟持部材５２，５３のそれぞれの対向端部には、例えばフラットケーブル４０を構成する各電線４３の被覆外周径に合わせて形成された各電線４３の芯線方向に延びると共に各電線４３の配列方向に複数配列形成された図示しない固定溝部が備えられている。
【００２２】
また、このケーブル保持部５１の第１挟持部材５２の側面には、フラットケーブル４０の電線４３の被覆外周径に合わせて形成されたリテーナ側凹部５９が複数形成されており、コネクタハウジング１０のリテーナ嵌合部１２におけるこれらリテーナ側凹部５９と対向するリテーナ嵌合壁１３の一対の内壁面には、同じくフラットケーブル４０の電線４３の被覆外周径に合わせて形成されたハウジング側凹部１９が複数形成されている。これらリテーナ側凹部５９及びハウジング側凹部１９でリテーナ５０のリテーナ嵌合部１２への嵌合時にリテーナ保持部５１がその嵌合方向に対して直交する面と平行に保持していたフラットケーブル４０を、図３に示すように屈曲した状態に保持することができる。このため、この圧接コネクタ１では、圧接端子２０の圧接部２３とフラットケーブル４０の電線４３との圧接部分に対していわゆるストレインリリーフ構造を具備させることが可能となる。
【００２３】
なお、ケーブル保持部５１とリテーナ嵌合壁１３におけるリテーナ側凹部５９とハウジング側凹部１９とが形成された以外の側面及び内壁面には、リテーナ係止部が形成されている。このリテーナ係止部は、例えばリテーナ保持部５１の第１挟持部材５２の側面に形成されたリテーナ係止突起５２ｂと、リテーナ嵌合壁１３の内壁面に形成されたリテーナ係止突起５２ｂと係合する図示しないリテーナ係止凹部とから構成されている。このリテーナ係止部により、リテーナ５０とコネクタハウジング１０との嵌合状態を確実に継続させることができる。
【００２４】
一方、コネクタハウジング１０のコネクタ嵌合部１４の側壁には、端子収容孔１１とコネクタ嵌合部１４の外側とを連通する係合穴部１５が形成されている。そして、端子保持部材３０には、端子収容孔１１に収容された状態でコネクタ嵌合部１４の係合穴部１５に係合する突起部３１を有する係合片部３２が形成されている。この端子保持部材３０の係合片部３２は、端子保持部材３０が端子収容孔１１に収容された状態で、シール材２９を突起部３１の先端に引っ掛けることによりコネクタ嵌合部１４に係止固定する。このため、端子保持部材３０で圧接端子２０をコネクタハウジング１０に取付固定すると共にシール材２９を同時に係止固定することが可能となる。なお、相手方コネクタとコネクタ嵌合部１４の嵌合部分はシール材２９により液密状態に保たれる。
【００２５】
従って、一部材である端子保持部材３０をコネクタハウジング１０の端子収容孔１１に装着するだけで圧接端子２０とシール材２９の両者を同時且つ一度に確実に圧接コネクタ１に固定することが可能となり、作業工数の削減に基づくコストダウンなどを図ることができるようになる。
【００２６】
なお、この例では端子保持部材３０が、圧接端子２０と共に端子収容孔１１の挿入側開口部を隙間無く塞ぐ形状で形成された樹脂成型部材からなるため、リテーナ５０のケーブル保持部５１の注入開口部５２ａから充填された樹脂モールド部７０を形成するモールド樹脂が端子収容孔１１内に入り圧接端子２０の嵌合接続部２１を塞いでしまう不具合等が発生することはない。
【００２７】
このように構成された圧接コネクタ１では、フラットケーブル４０を保持したリテーナ５０をコネクタハウジング１０に装着するだけで、フラットケーブル４０の電線４３を圧接端子２０の圧接部２３に挿入して圧接することができると共に、フラットケーブル４０を屈曲した状態で保持していわゆるストレインリリーフを具備することもできる。従って圧接作業を容易にしつつフラットケーブル４０への引っ張り力に強い圧接コネクタ１を実現することができる。そして、上述したように端子保持部材３０を用いて圧接端子２０及びシール材２９を一度に確実に圧接コネクタ１に固定することが可能となる。
【００２８】
なお、圧接コネクタ１は、リテーナ嵌合壁１３の外壁面に嵌る蓋部９１を有するリテーナ嵌合部１２を覆う形状の蓋部９０を更に備えて構成されていても良い。蓋部９０を備えれば、リテーナ５０とコネクタハウジング１０との嵌合部分を保護することができる。ここで、図３に示すように、この蓋部９０に切欠部９２を形成してリテーナ５０とコネクタハウジング１０とで屈曲状態に保持されたフラットケーブル４０をリテーナ嵌合壁１３の周縁部で再び折り曲げるようにすれば、更に強いストレインリリーフ構造を具備することも可能である。
【００２９】
【発明の効果】
以上述べたように、この発明によれば、コネクタハウジングのコネクタ嵌合部に形成された端子収容孔に収容される端子保持部材で圧接端子を保持しコネクタハウジングに圧接端子を取付固定する。また、コネクタ嵌合部の外周面に装着されたシール材を、端子保持部材が端子収容孔に収容された状態で、コネクタ嵌合部に形成された係合穴部に係合した端子保持部材の係合片部の突起部の先端でコネクタ嵌合部に係止固定する。従って、一部材の端子保持部材をコネクタハウジングに装着するだけで圧接端子とシール材の両者を同時且つ一度に確実に圧接コネクタに固定することが可能となり、作業工数の削減に基づくコストダウンを図ることが可能となる。
【図面の簡単な説明】
【図１】この発明の一実施形態に係る圧接端子及びシール材の固定構造を説明するための圧接コネクタの分解斜視図である。
【図２】同圧接コネクタの分解斜視図である。
【図３】図２のＡ−Ａ´断面図である。
【図４】図２のＢ−Ｂ´断面図である。
【符号の説明】１…圧接コネクタ、１０…コネクタハウジング、２０…圧接端子、２９…シール材、３０…端子保持部材、４０…フラットケーブル、５０…リテーナ。
【図１】
2004356013.tif 000003
【図２】
2004356013.tif 000004
【図３】
2004356013.tif 000005
【図４】
2004356013.tif 000006